(57)【要約】【課題】便座の保温のための非使用時の待機電力を削減し極めて省エネルギーであるとともに安全な便座暖房を提供する。【解決手段】内部に空洞部２７を形成する便座２０と、空洞部２７に設けられた複数のランプヒーター２９と、その下方に設定された輻射熱反射板２８と、輻射熱透過性を有する材料からなる着座部２４と、着座部２４の外表面に設けた輻射熱吸収層４２とを設けることにより着座部２４を短時間で暖めるので非常に省エネルギーになるとともに、便座２４の歪みや衝撃に対し破損の心配のない、安全で快適な暖房便座を得ることができる。【選択図】図１
2005245809.tif 000002
【特許請求の範囲】
【請求項１】
内部に空洞部を形成する便座と、前記空洞部に便座形状に合わせて複数設けられた輻射型発熱体と、前記輻射型発熱体により加熱される輻射熱透過性材料からなる前記便座の着座部と、前記複数の輻射型発熱体の加熱する着座部の温度を検知する温度検知手段と、前記温度検知手段の信号により前記複数の輻射型発熱体を制御する制御部とを備えた暖房便座。
【請求項２】
複数の輻射発熱体は前記輻射発熱体が加熱するそれぞれの着座面近傍に、便座の平面視で便座形状に沿うように設けられた請求項１記載の暖房便座。
【請求項３】
輻射型発熱体は便座の着座部の内側に配設された請求項１または２に記載の暖房便座。
【請求項４】
複数の輻射型発熱体は便座の着座部の内周から略等距離に、それぞれが湾曲形状に配設された請求項１〜３のいずれか１項に記載の暖房便座。
【請求項５】
輻射型発熱体は便座の着座部表面から略等距離に配設された請求項１〜４のいずれか１項に記載の暖房便座。
【請求項６】
輻射熱反射板を便座の空洞部に設け、前記輻射熱反射板から略等距離を保つように輻射発熱体を設けた請求項１〜６のいずれか１項に記載の暖房便座。
【請求項７】
便座の着座部の一部に第二発熱体を備えた請求項１から６のいずれか１項に記載の暖房便座。
【発明の詳細な説明】
【技術分野】
【０００１】
本発明は、暖房機能を有する便座に関するものである。
【背景技術】
【０００２】
従来のこの種の暖房便座では、図８、図９に示すように内部に空洞部１に便座２の馬蹄形状に沿って設けたランプヒーター４からの輻射熱を着座部３にすばやく伝えて使用者が着座する面である採暖面をすばやく昇温させるという構成であった（例えば特許文献１参照）。
【０００３】
しかしながら、図８の構成ではランプヒーター４からの輻射熱によって着座部３をすばやく昇温させることができるが、このランプヒーター４についての詳しい記述はなく、図９のような馬蹄形状とした場合、便座２に与えられる歪や衝撃によってランプヒーター４が破損し、便座の暖房機能が使用できなくなることが考えられる。
【０００４】
またランプヒーター４を馬蹄形状に形成するのは技術的には可能であるが、コスト的にかなり高くなることが考えられる。
【特許文献１】特開２０００−２１０２３０号公報
【発明の開示】
【発明が解決しようとする課題】
【０００５】
前記従来の技術の問題点に鑑み、本発明が解決しようとする課題は、歪や衝撃に対して破損の心配がなく、着座部を素早く暖め、快適な暖房が得られる暖房便座を得ることを目的とする。
【課題を解決するための手段】
【０００６】
前記従来の課題を解決するために本発明は、内部に空洞部を形成する便座と、前記空洞部に便座形状に合わせて複数設けられた輻射型発熱体と、前記輻射型発熱体により加熱される輻射熱透過性材料からなる前記便座の着座部と、前記複数の輻射型発熱体の加熱する着座部の温度を検知する温度検知手段と、前記温度検知手段の信号により前記複数の輻射型発熱体を制御する制御部とを備えたものである。
【０００７】
この構成によって、複数の輻射型発熱体を設けたので、複雑で多様な便座形状にも適切にあわせて、加熱する。
【発明の効果】
【０００８】
本発明の暖房便座は、輻射型発熱体を便座内空洞部に複数本設けることにより、発熱体が可撓性材料でなくても、複数に分割しているので、便座のような湾曲した形状でも均一に瞬時に加熱することができ、また、特殊な形状にあり通常使用においても衝撃や局部的な力がかかる可能性がある便座に組み込んでも発熱体自身が割れにくく、暖房便座としての耐久性が向上する。また、複数の輻射発熱体が加熱する着座部に対応して複数の温度検知手段を設けているので、それぞれの温度を別制御するきめ細かい温度制御が可能であるし、また、異常温度上昇、また、輻射発熱体の発熱停止なども検知できて、適切に対応できる。
【発明を実施するための最良の形態】
【０００９】
第１の発明は、内部に空洞部を形成する便座と、前記空洞部に便座形状に合わせて複数設けられた輻射型発熱体と、前記輻射型発熱体により加熱される輻射熱透過性材料からなる前記便座の着座部と、前記複数の輻射型発熱体の加熱する着座部の温度を検知する複数の温度検知手段と、前記複数の温度検知手段の信号により前記複数の輻射型発熱体を制御する制御部とを備えたものである。
【００１０】
これによって、輻射型発熱体を便座内空洞部に複数本設けることにより、発熱体が可撓性材料でなくても、複数に分割しているので、便座のような湾曲した形状でも均一に瞬時に加熱することができ、また、特殊な形状にあり通常使用においても衝撃や局部的な力がかかる可能性がある便座に組み込んでも発熱体自身が割れにくく、暖房便座としての耐久性が向上する。なお、複数の輻射発熱体が加熱する着座部に対応して複数の温度検知手段を設けるようにすると、それぞれの温度を別制御するきめ細かい温度制御が可能であるし、また、異常温度上昇、また、輻射発熱体の発熱停止なども検知できて、適切に対応できる。
【００１１】
第２の発明は、特に、第１の発明の輻射発熱体は前記輻射発熱体が加熱するそれぞれの着座面近傍に、便座の平面視で便座形状に沿うように設けたものであり、実際に人が着座して使用する面、つまり加熱されるべき面は、平面視での形状であり、この形状に合わせて輻射発熱体を設けることで適切な部位を暖房することが可能である。
【００１２】
第３の発明は、特に、第１または第２の発明において、輻射型発熱体を便座の着座部の内側に配設したものであり、人が着座したときに、どうしても荷重が内側にかかり、接触面も内側に集中し、接触圧も内側のほうが高くなるため、この部分を主として輻射暖房することで、より快適な暖房となる。
【００１３】
第４の発明は、特に、第１〜第３のいずれか一つの発明の輻射型発熱体を便座の着座部の内周から略等距離に、それぞれが湾曲形状に配設したものであり、輻射発熱体を内周から等距離としたので、内側を基準として暖房範囲をきめて輻射加熱することができる。
【００１４】
第５の発明は、特に、第１〜第４のいずれか一つの発明の輻射発熱体を便座の着座部の表面から略等距離を保つように配設したものであり、着座部の表面までの輻射熱の到達距離を一定にして着座部温度を均一化して快適な暖房となる。
【００１５】
第６の発明は、特に、第１〜第４のいずれか一つの発明において、輻射熱反射板を便座の空洞部に設け、前記輻射熱反射板から略等距離を保つように輻射発熱体を設けたものであり、着座部の表面までの輻射熱の到達距離を一定にして着座部温度を均一化して快適な暖房となる。均一な温度で輻射加熱されて快適となる。また、輻射発熱体の成型の制約により、便座形状に合わせられなくても、輻射熱反射板を適切に設け、それに対応して輻射発熱体を構成することで、より輻射加熱できる形状の範囲が広がる。
【００１６】
第７の発明は、特に、第１〜第６のいずれか一つの発明において便座の着座部の一部に第二発熱体を備えたものであり、輻射発熱体により加熱しにくい部位または即暖しなくてもよい着座部位などは第２発熱体による加熱で暖房して、着座部のうち、速暖したい着座部位は輻射発熱体により立ち上がりのみ瞬時の加熱を行って暖房し、長時間の継続暖房が必要な場合は、第２発熱体に切り換えるか輻射発熱体の出力を低減させるなどして、省エネで適切な暖房が実現できる。
【００１７】
（実施の形態１）
図１は本発明の実施の形態１における暖房便座の便座の要部を断面した概略構成図で、図２は同暖房便座を搭載したトイレ装置の斜視図で、図３は同暖房便座の一部を切り欠いて示した平面図で、図４は同暖房便座の便座ケース上部の要部断面図である。
【００１８】
図１から図３において、用便後の肛門およびビデを洗う温水洗浄機能付きの暖房便座は、トイレ装置の便器２０の後端部に横長の本体２１が取り付けられており、この本体２１内には温水洗浄機能の一部が内装され、かつ便器２０上に載せられた輪状の便座２２および便蓋２３が回動自在に設けられている。また、本体２１の袖部にはトイレ室の人体の有無を検知する赤外線センサー２５が内装されている。便座２２は、図１に示すように合成樹脂製の上・下２つの部材をそれぞれの内周縁および外周縁で溶着接合することによりケース２６を形成し、その内部には水等の浸入を阻止できる密閉された空洞部２７を有する構造となっている。
【００１９】
空洞部２７の内部には、トイレ装置を使用する使用者が腰掛ける便座２２の着座部２４に対向して、アルミ板を鏡面仕上げした輻射熱反射板２８と、着座部２４の両側において輻射型発熱体である２本のランプヒーター２９ａ、２９ｂとが便座２２の形状にあわせて設けられている。すなわち、図３に示すように、ランプヒーター２９ａ、２９ｂは、便座２２の平面視で馬蹄形の便座形状に沿うように設けられている。輻射熱反射板２８は、図１に示すように、その内外端部の全周に上方への折り曲げ部２８ａを有しており、その折り曲げ部２８ａによりランプヒーター２９ａ、２９ｂからの熱輻射が偏向されるので、ランプヒーター２９ａ、２９ｂから離れている外周縁部および内周縁部の輻射密度を上げるように作用し、ケース２６上部への輻射分布の均一化を図っている。このランプヒーター２９の近傍には、ランプヒーター２９ａ、２９ｂと電気的に直列接続されたサーモスタット３０ａ、３０ｂおよび温度ヒューズ３１ａ、３１ｂが設けられ、万一の不安全事態に対して温度過昇を防止するよう作用する。サーモスタット３０ａ、３０ｂおよび温度ヒューズ３１ａ、３１ｂは２本のランプヒータのそれぞれに対応するように設けており、安全性は向上する。
【００２０】
ランプヒーター２９ａ、２９ｂは、ガラス管３２の内部にタングステンからなるフィラメント３３を貫通しハロゲンガス３４を封入して構成されており、フィラメント３３の発熱に伴ってハロゲン化タングステンを形成するハロゲンサイクル反応を繰り返すことにより、フィラメント３３の消耗を防止するよう作用している。この作用により熱容量の非常に小さいフィラメント３３を熱源とすることができ、輻射エネルギーの極めて急峻な立ち上がりを行わせることができる。従って、ランプヒーター２９ａ、２９ｂは、使用者がトイレ室に入室し、衣服を下ろし、お尻を便座２２の着座部２４に着座するまでの例えば、数秒間である瞬間的に便座２２の着座部２４を適温まで高速に昇温させることができる輻射型発熱体を使用し、常時通電させておいて便座を加温して置く必要のない省電力型の輻射型発熱体にする。
【００２１】
このランプヒーター２９ａ、２９ｂは、弾性材であるゴムブッシュ３５を有するランプヒーター固定具３６により輻射熱反射板２８に固定され、輻射熱反射板２８はゴム足３７によりケース２６に固定されている。３８は便器２０上に乗っている便座２２の脚ゴム３９内に設けられたマイクロスイッチ４０で構成された着座検知手段で、便座２２の着座部２４に着座した使用者の荷重でマイクロスイッチがオンすることにより使用者の着座を検知するようになっている。
【００２２】
図４において、便座２２を構成するケース２６は透明ポリプロピレン樹脂材料を用いて射出成形で構成されたケース本体４１の上面にカーボンブラックを多量に含有する輻射熱吸収層４２を形成し、さらにその上にランプヒーター２９ａ、２９ｂから放射される全ての可視光を遮蔽するとともに、表面硬度，耐薬品性能，光沢等を考慮した光遮断層である表面化粧層４３を形成したものである。なお、表面化粧層４３はランプヒーター２９ａ、２９ｂから放射される全ての可視光を遮るものでなくても、本発明の目的を達成できるものである。
【００２３】
便座２２を構成するケース２６の上であるケース本体４１は透明ポリプロピレン樹脂材料を平均厚み２．５ｍｍにて成形することにより、輻射熱透過率を７０％以上に設定すると同時に、その剛性から便座の構造矩体として機能している。また、形成されている輻射熱吸収層４２の厚みは０．１ｍｍ，表面化粧層４３の厚みは０．２ｍｍであり、これら両層はケース本体４１を透過した輻射熱を完全に吸収し、熱容量が非常に小さいので瞬時に昇温すると同時に、放射可視光を完全に遮蔽する。
【００２４】
また便座２２を構成するケース２６のケース本体４１には、その内面に開口した凹部に、温度検知手段であるサーミスタ４４が設定されており、輻射熱吸収層４２近傍の温度を検知できるようになっている。このサーミスタ４４は２本のランプヒーター２９ａ、２９ｂが加熱する着座部２４に対応して設けているので、それぞれの温度を別制御するきめ細かい温度制御が可能であるし、また、異常温度上昇、また、ランプヒーター２９ａ、２９ｂの発熱停止なども検知できて、適切に対応できる。
【００２５】
また、便座２２はその回動軸４５に電極４６が形成され、本体２１の軸受け部（図示せず）とともに便座位置検知手段４７を構成し、便座が起立状態にあるか、着座して使用される略水平の使用位置にあるかを検出するようになっている。
【００２６】
本体２１には、室温検知手段としての室温サーミスタ４８の検知信号を取り込んでランプヒーター２９ａ、２９ｂの温度制御を行い、かつ便座２２のランプヒーター２９ａ、２９ｂに通電することにより昇温を開始した時点からの経過時間をカウントするタイマー部４９を有するマイクロコンピュータを主体とする制御部５０が設けられている。そして、制御部５０は赤外線センサー２５や着座検知手段３８と便座位置検知手段４７の信号を取り込んでランプヒーター２９ａ、２９ｂへの通電の開始と停止の制御と、サーミスタ４４、室温サーミスタ４８からの信号を取り込んで採暖面である着座部２４の温度が適温である所定の温度になるようランプヒーター２９ａ、２９ｂの温度制御が行えるようになっている。
【００２７】
また、サーモスタット３０はバイメタル５１を外部に露出し、そのバイメタル５１表面に輻射熱吸収材５２として耐熱性の黒色塗料を塗布している。そして、サーモスタット３０は輻射熱吸収材５２により輻射型発熱体からバイメタル５１に向けて輻射された熱を効率よく吸収し、より速やかにバイメタルの温度を上げるように構成している。
【００２８】
上記実施の形態において、使用者がトイレに入室した場合、赤外線センサー２５がそれを検知し、その信号が制御部５０に送られる。このとき、便座位置検知手段４７の信号により便座２２が略水平の使用位置にあるのを確認すると、制御部５０はランプヒーター２９ａ、２９ｂに通電を開始する。この初期通電により投入エネルギーは瞬時に輻射エネルギーに変換され、フィラメント３３からガラス管３２および輻射熱反射板２８を経てケース本体４１の方向に放射される。さらに、輻射エネルギーはケース本体４１の内部で一部吸収あるいは反射されるが、その大半は透過し輻射熱吸収層４２および表面化粧層４３の昇温に寄与する。従って、ランプヒーター２９ａ、２９ｂは使用者がトイレに入室した場合に通電し、便座２２の着座部２４の採暖面をほぼ瞬時に加温することができるので、常時通電しておくことのない非常に省エネ型の輻射型発熱体になる。便座２２自体は馬蹄形の特殊な形状にであるが、ランプヒーター２９は便座２２形状にあわせて２本に分割しているので、通常使用において便座２２に衝撃や局部的な力がかかってもランプヒーター２９ａ、２９ｂ自身が割れにくく、暖房便座としての耐久性が向上する。なお、分割数を増やして、より、便座形状に合わせた配置としたり、分割した部位ごとに、通電の制御を行うことで、きめ細かな暖房を実現できる。
【００２９】
制御部５０は、通電開始時のサーミスタ４４および室温サーミスタ４８の信号をもとに、両者の温度差やそれぞれの温度から演算を行い、あらかじめ設定・記憶されている初期通電の通電制限時間の最適値を選択し、タイマー部４９でカウントしている経過時間が通電制限時間に到達すると通電量を低減またはゼロにし、その後サーミスタ４４の信号をもとに便座２２の着座部２４が適温になるよう通電量を制御する。
【００３０】
これにより、サーミスタ４４は実際に使用者が触れる着座部２４付近の温度を検知し、制御部５０は精度良く適温まで昇温・維持するので便座２２の使用が快適であり、さらにサーミスタ４４および室温サーミスタ４８の信号をもとに負荷量に合わせて輻射エネルギーの投入量を制御するのでより精度良く安全に適温まで加熱することができる。
【００３１】
また、初期通電時間制御を優先的に行うことで通電制限時間後は通電量を低減し昇温速度を減ずるので、温度検知手段の応答速度が遅くても安全に便座を加温することができ、また安価な温度検知手段を使用することもできる。通常、一般的なヒーターでは、印加電圧を低減させて温度を制御するものが多いが、ランプヒーター２９はフィラメント３３の発熱に伴ってハロゲン化タングステンを形成するハロゲンサイクル反応を繰り返すことにより、フィラメント３３の消耗を防止しているため、ガラス管の温度が２００℃以下になるとハロゲンサイクルが不調となる。したがって、ランプヒーター２９ａ、２９ｂで着座部２４を適温にするためにはハロゲンサイクルが有効な出力範囲で通電サイクルを変化させて行う。
【００３２】
一方、便座２２が起立状態であったり、男子使用者が入室後小用のために便座２２を起立状態に持っていったときは、便座位置検知手段４７の信号をもとに制御部５０がランプヒーター２９ａ、２９ｂへの通電を停止する。これにより、無駄に便座２２を加温することを低減でき、さらに省エネを図ることができるとともに、フィラメント３３の張力方向である長さ方向に重力がかかって断線することを防止できる。
【００３３】
また、使用者が目的に合わせて、便座２２を起立状態と略水平状態に開閉しても、弾性材であるゴムブッシュ３５を有するランプヒーター固定具３６の衝撃減衰効果に加えてゴム足３７の効果により、ランプヒーター２９ａ、２９ｂへの衝撃が吸収され、ガラス管やフィラメントの破損を防ぐことができる。
【００３４】
次に、使用者が排便のために着座すると、着座検知手段３８の信号によりランプヒーター２９ａ、２９ｂへの通電量をゼロまたは便座温度が過昇しないところまで、上述のようにハロゲンサイクルが有効な出力範囲で通電サイクルを変化させて制御する。これにより、使用中に便座温度が過昇することなく、火傷等が生じる心配なく安全である。
【００３５】
特に、暖房便座はヒーターを内蔵した便座に直接皮膚を接触させて着座するため、安全に対しては十分な配慮が必要である。通常の使用状態では上述のように安全に快適に使用できるが、万一何らかの原因でマイコン（図示せず）に不具合が生じ、ランプヒーター２９ａ、２９ｂへの通電が継続して行われた場合などにも安全に動作することが必要である。
【００３６】
本実施例ではそれを実現するために、図５に示すようにサーモスタット３０ａ、３０ｂはバイメタル５１を露出し、そのバイメタル５１表面に輻射熱吸収材５２として耐熱性の黒色塗料を塗布している。従って、バイメタル５１を露出させているのでランプヒーター２９ａ、２９ｂからの輻射熱で直接、バイメタル５１が加熱されるのに加えて、バイメタル５１表面に輻射熱吸収材５２として耐熱性の黒色塗料を施しているので、ランプヒーター２９からバイメタル５１へ到達する輻射熱の殆どがバイメタル５１に吸収され便座２２の温度の急激な変動にも迅速に追従し、温度過昇の際にはランプヒーター２９の通電回路を遮断することができる。
【００３７】
上記実施例ではランプヒーター２９ａ、２９ｂは左右一対設ける構成で説明したが、これに限ったものではない。また、輻射熱吸収層４２、表面化粧層４３はランプヒーター２９ａ、２９ｂから発せられる光や輻射を完全に遮蔽する構成としているが、意図的に一部もしくはその大部分を透過させるようにしても良い。
【００３８】
（実施の形態２）
図６は本発明の第二の実施の形態における温水洗浄機能付き暖房便座の一部切り欠き平面図である。実施の形態１と同様の符号を付したものは、同様の動作作用をするもので、説明は省略して、実施の形態１と異なる構成についてのみ、説明する。
【００３９】
図６において、ランプヒーター２９ａ、２９ｂは便座２２の形状に沿うように設けられている。さらに便座の着座部２４の中心線Ａ−Ａより内側に配設され、便座２２の着座部２４の内周からほぼ等距離ａを保つように湾曲形状としている。また、便座の一部でランプヒーター２９ａ、２９ｂによる加熱が行われにくい部位または即暖しなくてもよい着座部位などには、着座部２４の裏面にコード状のヒーターを蛇行配設した第２発熱体５３が設置されている。図６では第２発熱体５３は便座２２の後方部分に設けているがこれに限ったものではない。また、第２発熱体はコード状ヒーターで説明したが、これに限るものではなく、金属をパターニングして平面状に形成したものや、ＰＴＣ特性を有するヒーターなども使用可能である。第２発熱体５３はランプヒーター２９ａ、２９ｂとは電気的に並列接続され、第２発熱体５３が配設された着座部２４裏面に設けられたサーミスタ３０ａ、３０ｂおよび室温サーミスタ４８の信号をもとに、着座部２２の温度が適温に成るように制御部５０で制御する。
【００４０】
また、図７に示すようにランプヒーター２９ａ、２９ｂは長手方向において便座着座部の表面からほぼ等距離ｂを保つようさらに、輻射熱反射板２８からもほぼ等距離ｃを保つように配設されている。
【００４１】
便座２２に人が着座したときに、どうしても荷重が内側にかかり、接触面も内側に集中し、接触圧も内側のほうが高くなるため、この部分を主として輻射暖房することで、より快適な暖房となる。ランプヒーター２９ａ、２９ｂの中心軸を便座２２の着座部２４の中心線Ａ−Ａより内側に配設することにより、冷たさを感じやすい便座内側を加熱するので、便座に着座時に冷たさを感じることがなく暖房便座を快適に使用することができる。
【００４２】
また、ランプヒーター２９ａ、２９ｂを着座部２４の内周からほぼ等距離ａを保つように湾曲形状に配設することにより輻射熱の到達距離を一定にして、便座内側の温度を均一化して快適性を向上させることができる。同様にランプヒーター２９ａ、２９ｂを長手方向において着座部２４の表面からほぼ等距離ｂを保つように配設し、また、輻射熱反射板からほぼ等距離ｃを保つように配設することにより、することにより、着座部の表面までの輻射熱の到達距離を一定にして着座部温度を均一化して快適性を向上させることができる。第２発熱体５３はランプヒーター２９ａ、２９ｂによる加熱が行われにくい部分を加熱するので、暖房便座を快適に使用することができる。この、第２発熱体５３は熱伝導によって便座２２表面を暖めるため、常時通電している。しかし、第２発熱体５３は着座部２４の一部に設定されているので、大幅に消費電力が増加することはない。以上のように、複数のランプヒーター２９ａ、２９ｂを設けることにより便座２２に加えられる歪みや衝撃に対しても破損の心配がなく安全であるとともに、ランプヒーター２９ａ、２９ｂを分割することによって生じる非加熱部分を第２発熱体で加熱することにより、快適な暖房感が得られる暖房便座を得ることができる。
【産業上の利用可能性】
【００４３】
以上のように、本発明の暖房便座は、便座内部に複数の輻射型発熱体を設置することによって便座の歪みや衝撃に対しても破損の心配のない、安全に使用しうる暖房便座を実現し得ることができるので、着座する機器の暖房技術として適用することが可能である。
【図面の簡単な説明】
【００４４】
【図１】本発明の実施の形態１における暖房便座の概略構成図
【図２】本発明の実施の形態１における暖房便座の斜視図
【図３】本発明の実施の形態１における暖房便座の一部切り欠き平面図
【図４】本発明の実施の形態１における暖房便座のケース上部の要部断面図
【図５】本発明の実施の形態１における暖房便座の安全装置を説明するための要部断面図
【図６】本発明の実施の形態２における暖房便座の切り欠き平面図
【図７】本発明の実施の形態２における暖房便座の要部断面図
【図８】従来の暖房便座の断面図
【図９】従来の暖房便座の切り欠き平面図
【符号の説明】
【００４５】
２２  便座
２４  着座部
２７  空洞部
２９  ランプヒーター（輻射型発熱体）
４４  サーミスタ（温度検知手段）
５０  制御部
５３  第２発熱体
【図１】
2005245809.tif 000003
【図２】
2005245809.tif 000004
【図３】
2005245809.tif 000005
【図４】
2005245809.tif 000006
【図５】
2005245809.tif 000007
【図６】
2005245809.tif 000008
【図７】
2005245809.tif 000009
【図８】
2005245809.tif 000010
【図９】
2005245809.tif 000011